【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
コンテンツの視聴選択に関する付加情報を提供する情報提供装置であって、
ユーザのコンテンツに関する視聴に関連する視聴履歴を取得する視聴履歴情報取得手段と、
視聴履歴に含まれる各コンテンツの関連情報を取得するコンテンツ関連情報取得手段と、
ユーザ毎に集計されたコンテンツ関連情報を属性種別毎に出現頻度を計測して、各属性種別において出現頻度が上位となった属性値に基づいて、コンテンツの視聴選択に関する付加情報を生成する付加情報生成手段と、
付加情報をユーザに提示する提示手段と、
を具備することを特徴とする情報提供装置。
【請求項２】
前記視聴履歴情報取得手段は、ユーザが行なったコンテンツに対する視聴、録画、録画予約、投票又は評価、購買のうち少なくとも１つの操作履歴を視聴履歴として取得する、
ことを特徴とする請求項１に記載の情報提供装置。
【請求項３】
前記視聴履歴情報取得手段は、ユーザがコンテンツを受信又は記録・再生する機器上で取得された視聴履歴情報を通信路経由で取得し、ユーザ毎に集計し、
前記コンテンツ関連情報取得手段は、各コンテンツの属性情報を保管するコンテンツ情報データベースを検索して、コンテンツ関連情報を取得し、
前記提示手段は、前記通信路経由で付加情報をユーザに提示する、
ことを特徴とする請求項１に記載の情報提供装置。
【請求項４】
前記視聴履歴情報取得手段は、ユーザがコンテンツを受信又は記録・再生する機器上で取得された視聴履歴情報を前記機器内で保持し、
前記コンテンツ関連情報取得手段は、所定の通信路経由で視聴履歴に含まれる各コンテンツについてのコンテンツ関連情報を取得し、
前記付加情報作成手段は前記機器内で付加情報を作成する、
ことを特徴とする請求項１に記載の情報提供装置。
【請求項５】
前記提示手段は、各属性種別において出現頻度が上位となった属性値の一覧を含んだ付加情報画面をユーザに提示する、
ことを特徴とする請求項１に記載の情報提供装置。
【請求項６】
前記付加情報画面を介したユーザによる属性値の指定又は選択動作を受容する入力手段と、
ユーザが属性値を指定又は選択したことに応答して、該属性値に関連するコンテンツを検索し、抽出されたコンテンツに基づいて詳細付加情報を生成する詳細付加情報生成手段をさらに備え、
前記提示手段は該詳細付加情報をユーザに提示する、
ことを特徴とする請求項５に記載の情報提供装置。
【請求項７】
前記詳細付加情報生成手段は、ユーザの視聴履歴情報の中から該属性値に関連するコンテンツを検索し、視聴履歴を含んだ該当コンテンツの一覧で構成される詳細付加情報を生成する、
ことを特徴とする請求項６に記載の情報提供装置。
【請求項８】
前記詳細付加情報生成手段は、今後のコンテンツ放送又は配信予定を記述した予定情報の中から該属性値に関連するコンテンツを検索し、放送又は配信の予定時刻を含んだ該当コンテンツの一覧で構成される詳細付加情報を生成する、
ことを特徴とする請求項６に記載の情報提供装置。
【請求項９】
詳細付加情報画面上では、視聴履歴に応じたコンテンツ操作方法を併せて提示し、
前記入力手段は詳細付加情報画面上でのユーザのコンテンツ操作方法の指定又は選択動作を受容し、該当する操作を起動する、
ことを特徴とする請求項７又は８のいずれかに記載の情報提供装置。
【請求項１０】
コンテンツの視聴選択に関する付加情報を提供する情報提供方法であって、
ユーザのコンテンツに関する視聴に関連する視聴履歴を取得する視聴履歴情報取得ステップと、
視聴履歴に含まれる各コンテンツの関連情報を取得するコンテンツ関連情報取得ステップと、
ユーザ毎に集計されたコンテンツ関連情報を属性種別毎に出現頻度を計測して、各属性種別において出現頻度が上位となった属性値に基づいて、コンテンツの視聴選択に関する付加情報を生成する付加情報生成ステップと、
付加情報をユーザに提示する提示ステップと、
を具備することを特徴とする情報提供方法。
【請求項１１】
前記視聴履歴情報取得ステップでは、ユーザが行なったコンテンツに対する視聴、録画、録画予約、投票又は評価、購買のうち少なくとも１つの操作履歴を視聴履歴として取得する、
ことを特徴とする請求項１０に記載の情報提供方法。
【請求項１２】
前記視聴履歴情報取得ステップでは、ユーザがコンテンツを受信又は記録・再生する機器上で取得された視聴履歴情報を通信路経由で取得し、ユーザ毎に集計し、
前記コンテンツ関連情報取得ステップでは、各コンテンツの属性情報を保管するコンテンツ情報データベースを検索して、コンテンツ関連情報を取得し、
前記提示ステップでは、前記通信路経由で付加情報をユーザに提示する、
ことを特徴とする請求項１０に記載の情報提供方法。
【請求項１３】
前記視聴履歴情報取得ステップでは、ユーザがコンテンツを受信又は記録・再生する機器上で取得された視聴履歴情報を前記機器内で保持し、
前記コンテンツ関連情報取得ステップでは、所定の通信路経由で視聴履歴に含まれる各コンテンツについてのコンテンツ関連情報を取得し、
前記付加情報作成ステップでは前記機器内で付加情報を作成する、
ことを特徴とする請求項１０に記載の情報提供方法。
【請求項１４】
前記提示ステップでは、各属性種別において出現頻度が上位となった属性値の一覧を含んだ付加情報画面をユーザに提示する、
ことを特徴とする請求項１０に記載の情報提供方法。
【請求項１５】
前記付加情報画面を介したユーザによる属性値の指定又は選択動作を受容する入力ステップと、
ユーザが属性値を指定又は選択したことに応答して、該属性値に関連するコンテンツを検索し、抽出されたコンテンツに基づいて詳細付加情報を生成する詳細付加情報生成ステップをさらに備え、
前記提示ステップでは該詳細付加情報をユーザに提示する、
ことを特徴とする請求項１４に記載の情報提供方法。
【請求項１６】
前記詳細付加情報生成ステップで、ユーザの視聴履歴情報の中から該属性値に関連するコンテンツを検索し、視聴履歴を含んだ該当コンテンツの一覧で構成される詳細付加情報を生成する、
ことを特徴とする請求項１５に記載の情報提供方法。
【請求項１７】
前記詳細付加情報生成ステップでは、今後のコンテンツ放送又は配信予定を記述した予定情報の中から該属性値に関連するコンテンツを検索し、放送又は配信の予定時刻を含んだ該当コンテンツの一覧で構成される詳細付加情報を生成する、
ことを特徴とする請求項１５に記載の情報提供方法。
【請求項１８】
詳細付加情報画面上では、視聴履歴に応じたコンテンツ操作方法を併せて提示し、
前記入力ステップでは詳細付加情報画面上でのユーザのコンテンツ操作方法の指定又は選択動作を受容し、該当する操作を起動する、
ことを特徴とする請求項１６又は１７のいずれかに記載の情報提供方法。
【請求項１９】
コンテンツの視聴選択に関する付加情報を提供するための処理をコンピュータ・システム上で実行するようにコンピュータ可読形式で記述されたコンピュータ・プログラムであって、
ユーザのコンテンツに関する視聴に関連する視聴履歴を取得する視聴履歴情報取得ステップと、
視聴履歴に含まれる各コンテンツの関連情報を取得するコンテンツ関連情報取得ステップと、
ユーザ毎に集計されたコンテンツ関連情報を属性種別毎に出現頻度を計測して、各属性種別において出現頻度が上位となった属性値に基づいて、コンテンツの視聴選択に関する付加情報を生成する付加情報生成ステップと、
付加情報をユーザに提示する提示ステップと、
を具備することを特徴とするコンピュータ・プログラム。